(57)【要約】      （修正有）【課題】スマートフォン等の板状製品を簡易、且つ確実に収納しうる収納部を有する財布、札入れ、カード入れ等の携帯物品を提供する。【解決手段】財布１０は、財布本体部１１の側面部１２に設けられたポケット部１３を有する収納部１４を備え、上記ポケット部１３は財布本体部１１の側面部１２に接合された表皮部１５により開閉可能に被覆される。上記ポケット部１３は上記表皮部１５の内側面部１６に固定されている。また、上記表皮部１５の上端部側折部２２によりフラップ部２３が形成されると共に、下端部側折部２４によりポケット部取付片部２５が形成され、上記ポケット部１３は、上記ポケット部取付片部２５の内側面部２６及び上記接合部２１との間に固定されている。また、上記ポケット部１３は伸縮可能に形成されると共に、側面長方形状に形成された袋体により構成され、長さ方向中間部２７が幅方向に沿って上記ポケット取付片部２５、及び上記接合部２１に固定されている。【選択図】図１
0003168320.tif 000002
【実用新案登録請求の範囲】
【請求項１】
携帯物品本体部の側面部に設けられた、ポケット部を有する収納部を備えていることを特徴とする携帯物品。
【請求項２】
上記ポケット部は、携帯物品本体部の側面部に接合された表皮部により、開閉可能に被覆されることを特徴とする請求項１記載の携帯物品
【請求項３】
上記携帯物品は財布であって、上記財布の側面部には上記収納部を形成する折曲可能に形成された表皮部が接合され、上記ポケット部は、上記表皮部の内側面部に固定されていることを特徴とする請求項１または請求項２に記載の携帯用物品
【請求項４】
上記財布は方形状に形成されると共に、上記表皮部は全体長方形状に形成され、上記財布の上端部及び下端部において、折部が設けられることにより、上記上端部と上記下端部との間には接合部が形成され、
上端部側折部によりフラップ部が形成されると共に、下端部側折部によりポケット部取付片部が形成され、上記ポケット部は、上記ポケット部取付片部の内側面部及び上記接合部との間に固定され、上記フラップ部は、上記ポケット部取付片部に被せた状態で固定しうることを特徴とする請求項３記載の携帯物品。
【請求項５】
上記ポケット部は伸縮可能に形成されると共に側面長方形状に形成された袋体により構成され、長さ方向中間部が、幅方向に沿って上記ポケット取付片部及び上記接合部に固定されていることを特徴とする請求項４記載の携帯物品。
【考案の詳細な説明】
【技術分野】
【０００１】
本考案は、財布、札入れ、カードケース、小物入れ等の携帯物品において、携帯物品本体部の側面にポケット部を備えた収納部を有する携帯物品に関する。
【背景技術】
【０００２】
携帯用物品としては、財布、札入れ、カードケース、小物入れ等、多数の種類の製品が流通している。
【０００３】
例えば財布、札入れの場合、皮革材若しくは布材等で形成され、外側板部の内側面部に、硬貨収納部、及びカード収納部等の収納部が配置されている。
【０００４】
例えば、財布は、外出時における必須携帯品のひとつであるが、近年は、財布と同様に重要な、必須の携帯品として、携帯電話が挙げられる。
上記携帯電話は、従来は折畳み方式の型が主流であり、着衣のポケット等に比較的収納し易い大きさ寸法に形成されていた。
しかしながら、近年、スマートフォンの急速な普及によって、スマートフォンのシェアが徐々に拡大している。
【０００５】
上記スマートフォンは、長方形の画面上を指でタッチすることによって操作するため、従来の折畳み式携帯電話と比較して、一般的に大きな表示部を有し、全体としても、従来の折畳み式携帯電話よりも大きな幅寸法、及び長さ寸法を有している。
【０００６】
スマートフォンは、背広等の大型のポケットを備えている衣服を着用する場合が多い男性の場合、上記ポケットに収納することが多いが、男性と比較して、女性の衣服には、大型のポケットが少ない場合が多い。
また、多くの女性の場合、昼食時等、一時的な外出時には、鞄を持ち歩かない場合が多く、この際は、財布と、スマートフォンとを、夫々直接手で把持して携行する。
従って、移動中にスマートフォンが落下して破損する虞があると共に、財布から硬貨や札を取り出す際には、手で持ったスマートフォンが邪魔になるという不具合を有していた。
しかしながら、従来の財布、札入れ、及びカード入れ等は、一般的なスマートフォン等の比較的大きな幅寸法、及び長さ寸法を有する板状の製品を収納することを想定した収納部を搭載していない。
【考案の開示】
【考案が解決しようとする課題】
【０００７】
本考案の課題は、上記不具合を解消し、スマートフォン等の板状製品を簡易、且つ確実に収納しうる収納部を有する財布、札入れ、カード入れ等の携帯物品を提供することにある。
【課題を解決するための手段】
【０００８】
上記課題を解決するため、請求項1に記載した考案に係る携帯物品は、携帯物品本体部の側面部に設けられたポケット部を有する収納部を備えていることを特徴とする。
【０００９】
従って、スマートフォン等を上記ポケット部に収納し、財布等の携帯物品と共に携行することができる。
【００１０】
また、請求項２に記載した考案に係る携帯物品は、上記ポケット部は携帯物品本体部の側面部に接合された表皮部により、開閉可能に被覆されることを特徴とする。
【００１１】
従って、収納対象物を収納しない場合には、上記表皮部によって、上記ポケット部が被覆され、外部から視認されなくなる。
【００１２】
また、請求項３に記載した考案に係る携帯物品は、上記携帯物品本体部は財布であって、上記財布の側面部には上記収納部を形成する折曲可能に形成された表皮部が接合され、上記ポケット部は上記表皮部の内側面部に固定されていることを特徴とする。
【００１３】
従って、上記表皮部を折曲げて畳むことによって、上記ポケット部が上記表皮部に被覆され、外部から視認されなくなる。
【００１４】
また、請求項４に記載した考案に係る携帯物品は、上記財布は方形状に形成されると共に、上記表皮部は全体長方形状に形成され、上記財布の上端部及び下端部において、折部が設けられることにより、上記上端部と上記下端部との間には接合部が形成され、上端部側折部によりフラップ部が形成されると共に、下端部側折部によりポケット部取付片部が形成され、上記ポケット部は、上記ポケット部取付片部の内側面部及び上記接合部との間に固定され、上記フラップ部は、上記ポケット部取付片部に被せた状態で固定しうることを特徴とする。
【００１５】
従って、上記表皮部の上端部側折部と下端部側折部を折畳み、上記フラップ部を固定することによって、上記ポケット部が被覆され、外部から視認されなくなる。
【００１６】
また、請求項５に記載した考案に係る携帯物品は、上記ポケット部は伸縮可能に形成されると共に、側面長方形状に形成された袋体により構成され、長さ方向中間部が幅方向に沿って上記ポケット取付片部及び上記接合部に固定されていることを特徴とする。
【００１７】
従って、上記ポケット取付片部、及び上記接合部を拡開することによって、上記ポケット部の開口部が拡開する。
また、上記ポケット部を伸延させることによって、上記ポケット部よりも幅寸法が大きなスマートフォン等の物品であっても、上記ポケット部に簡単に収納することができる。
【考案の効果】
【００１８】
請求項１の考案にあっては、携帯物品本体部の側面部に設けられたポケット部を有する収納部を備えていることから、スマートフォン等を上記ポケット部に収納し携行することができる。
従って、スマートフォン等の板状製品を簡易に収納しうる収納部を有する財布、札入れ、カード入れ等の携帯物品を提供することができる。
【００１９】
また、請求項２から請求項４の考案にあっては、上記ポケット部は携帯物品本体部の側面部に接合された表皮部により開閉可能に被覆しうるため、収納対象物を収納しない場合には、上記表皮部によって、上記収納部は外部から視認されず、財布等の携帯物品の外観品質を損なうことが無い。
特に請求項３の考案にあっては、上記携帯物品本体部は財布であって、上記財布の側面部には上記収納部を形成する折曲可能に形成された表皮部が接合され、上記ポケット部は上記表皮部の内側面部に固定されていることから、請求項２の効果に加え、上記ポケット部が上記表皮部に固定されているため、上記ポケット部にスマートフォン等の携行品を収納したままであっても、上記財布に収納されている紙幣、硬貨等を取り出し易い。
また、請求項４の考案にあっては、上記財布は方形状に形成されると共に、上記表皮部は全体長方形状に形成され、上記財布の上端部及び下端部において、折部が設けられることにより、上記上端部と上記下端部との間には接合部が形成され、上端部側折部によりフラップ部が形成されると共に、下端部側折部によりポケット部取付片部が形成され、上記ポケット部は、上記ポケット部取付片部の内側面部及び上記接合部との間に固定され、上記フラップ部は、上記ポケット部取付片部に被せた状態で固定しうることから、上記フラップ部によって、表皮部が折畳み状態で確実に固定され、上記ポケット部に収納したスマートフォン等の携行品が、更に落下し難くなる。
【００２０】
また、請求項５の考案にあっては、上記ポケット部は伸縮可能に形成されると共に、側面長方形状に形成された袋体により構成され、長さ方向中間部が、幅方向に沿って上記ポケット取付片部及び上記接合部に固定されていることから、上記ポケット取付片部、及び上記接合部を拡開することによって、上記ポケット部の開口部が拡開するため、スマートフォン等の携行物の収納作業を行い易く、より容易となる。
また、上記ポケット部を伸縮可能であることから、スマートフォン等の携行品が、上記ポケット部よりも幅寸法が大きい場合であっても、上記ポケット部に簡単に収納することができる。
【図面の簡単な説明】
【００２１】
【図１】本考案に係る携帯物品を財布に適用した場合の実施例の形態を示し、本実施例に係る財布の表皮部の表皮部を拡開した状態を示す斜視図である。
【図２】本考案に係る携帯物品を財布に適用した場合の実施例の形態を示し、本実施例に係る財布の表皮部を、折部を介して畳んだ状態を示す斜視図である。
【図３】本考案に係る携帯物品を財布に適用した場合の実施例の形態を示し、本実施例に係る財布の表皮部の折部を拡開した状態で、収納部にスマートフォン等の携帯電話を収納した状態を示す斜視図である。
【図４】本考案に係る携帯物品を財布に適用した場合の実施例の形態を示し、納部にスマートフォン等の携帯電話を収納した状態で、表皮部を、折部を介して畳んだ状態を示す斜視図である。
【考案を実施するための最良の形態】
【００２２】
以下、本考案に係る携帯物品を財布に適用すると共に、収納部のポケット部が伸縮可能な袋体である場合を例として、添付図面を用いて説明する。  
図１に示すように、本実施の形態に係る財布１０は、財布本体部１１の側面部１２に設けられたポケット部１３を有する収納部１４を備え、上記ポケット部１３は財布本体部１１の側面部１２に接合された表皮部１５により開閉可能に被覆される。
【００２３】
また、上記ポケット部１３は上記表皮部１５の内側面部１６に固定されている。
【００２４】
また、上記財布１０は全体方形状に形成されると共に、上記表皮部１５は全体長方形状に形成され、上記財布１０の上端部１７、及び下端部１８において折部１９、２０が設けられることにより、上記上端部１７と上記下端部１８との間には接合部２１が形成されている。
【００２５】
また、上記表皮部１５の上端部側折部２２によりフラップ部２３が形成されると共に、下端部側折部２４によりポケット部取付片部２５が形成され、上記ポケット部１３は、上記ポケット部取付片部２５の内側面部２６及び上記接合部２１との間に固定されている。
【００２６】
また、上記ポケット部１３は伸縮可能に形成されると共に、側面長方形状に形成された袋体により構成され、長さ方向中間部２７が幅方向に沿って上記ポケット取付片部２５、及び上記接合部２１に固定されている。
【実施例１】
【００２７】
上記形態の本実施例の構成について以下図面を用いて詳述する。
図１に示すように、本実施例に係る財布１０の財布本体部１１の側面部１２に接合された表皮部１５は、皮革からなり、長方形状に形成され、長さ方向寸法を略３等分する位置２８、２９には、幅方向に沿って折部１９、２０が夫々形成されている。
【００２８】
また、上記表皮部１５の外側面部３０は、硬貨収納部３１、及び札収納部３２等を備える財布本体部１１の側面部１２に固定されている。
【００２９】
なお、上記財布本体１１の形態は特に本実施例の構成に限定される必要は無く、硬貨収納部３１、札収納部３２の数、及び形態は、本考案の構成の範囲内において、変更可能であると共に、上記硬貨収納部３１、札収納部３２の他に、別途カード収納部等の収納部が設けられていても良い。
【００３０】
また、上端部側折部２２のフラップ部２３の内側面部３３には、クレジットカード等のカード類を収納しうるカード収納部３４が形成されると共に、上記フラップ部２３を折畳み状態で保持しうる、スナップボタン３６が設けられている。
また、上記ポケット部取付片部２５の外側面部３５には、上記スナップボタン３６に嵌合しうる、スナップボタン３７、３８が配設されている。
【００３１】
また、上記ポケット部１３は、薄いゴムシート、若しくはゴム糸を含有する伸縮可能な布材等からなり、側面長方形に形成された２枚のシート材１３ａ、１３ｂを、長さ方向両端部３９、及び下端部４０を接合することによって、袋状に形成され、上端部には開口部４１が形成されている。
【００３２】
また、図１に示すように、上記ポケット部１３は、何も収納していない状態においては、上記表皮部１５の幅寸法よりも小さな長さ寸法となるように形成されている。
このため、図２に示すように、上記表皮部１５を上記折部１９、２０で折畳んだ状態においては、上記ポケット部１３（図２には図示せず）は、外部からは視認されない。
従って、スマートフォン４２（図２には図示せず）等が収納されていない状態において、財布１０の外観品質が損なわれることが無い。
【００３３】
本実施例の作用について説明する。
図１に示すように、上記フラップ部２３における、スナップボタン３６と３７、若しくは、スナップボタン３６と３８との嵌合を解除して、上記表皮部１５を拡開することによって、上記ポケット取付片部２５、及び上記接合部２１が拡開され、同時に上記ポケット部１３の開口部４１が拡開する。
図３に示すように、スマートフォン４２は、所定の厚さ寸法を有する長方形板状に形成されている。
スマートフォン４２を、拡開された上記開口部４１から上記ポケット部１３挿入し、上記ポケット部１３を内側から押し拡げながら、横向き状態で収納する。
この際、上記ポケット部１３が伸縮可能なシート材で形成されているため、上記ポケット部１３が伸縮可能な範囲であれば、上記スマートフォン４２等が上記表皮部１５の幅寸法よりも大きな長さ寸法を有している場合であっても、簡単に収納することが可能となる。
【００３４】
また、図４は、スマートフォン４２等を収納して、折部１９、２０において、表皮部１５を折畳み状態で固定した場合の斜視図を示している。
図４の状態に固定する場合、図３に示すように、上端部側折部２２のフラップ部２３の内側面部３３に、上記フラップ部２３を折畳み状態で保持しうる、スナップボタン３５が配設されると共に、上記ポケット部取付片部２５の外側面部３６には、上記スナップボタン３５に嵌合しうる、スナップボタン３７、３８が配設されていることから、スマートフォン４２等の厚さ寸法が小さい場合には、スナップボタン３６の嵌合先としてスナップボタン３７を選択し、スマートフォン４２等の厚さ寸法が大きな場合には、スナップボタン３６の嵌合先をスナップボタン３８に切り替えることによって、厚さ寸法が大きなスマートフォンの場合であっても、上記ポケット部１３に確実に収納し、上記表皮部１５で被覆することができる。
【００３５】
本実施例の構成によれば、図４に示すように、スマートフォン４２等を財布１０のポケット部１３に収納して、一つの携帯品として持ち歩くことができるため、携行時にスマートフォン４２が落下等によって破損する虞が無いと共に、スマートフォン４２を上記ポケット部１３に収納した状態で、上記硬貨収納部３１、及び札収納部３２等に収納された硬貨等を簡単に取り出すことができる。
【００３６】
なお、本考案に係る携帯物品は、財布の他、カードケース、札入れ、システム手帳等であっても良い。
また、表皮部の全体形状及び、形態物品本体部の形態等については、本実施例の形態に限られず、本考案の構成要素を備える限り、適宜変更することができる。
また、スナップボタンは面ファスナー等の他の係止部材に置換することが可能である。
【産業上の利用可能性】
【００３７】
本考案は財布、札入れ、カードケース、小物入れ等の携帯物品において、携帯物品本体部の側面にポケット部を備えた収納部を有する携帯物品に適用可能である。
【符号の説明】
【００３８】
１０  財布（携帯物品）
１１  財布本体部（携帯物品本体部）
１２  財布本体部（携帯物品本体部）の側面部
１３  ポケット部
１３ａシート材
１３ｂシート材
１４  収納部
１５  表皮部
１６  表皮部の内側面部
１７  財布上端部
１８  財布下端部
１９  折部
２０  折部
２１  接合部
２２  上端部側折部
２３  フラップ部
２４  下端部側折部
２５  ポケット部取付片部
２６  ポケット部取付片部の内側面部
２７  ポケット部の長さ方向中間部
２８  表皮部の長さ方向寸法を略３等分する位置
２９  表皮部の長さ方向寸法を略３等分する位置
３０  表皮部の外側面部
３１  硬貨収納部
３２  札収納部
３３  フラップ部の内側面部
３４  カード収納部
３５  ポケット部取付片部の外側面部
３６  スナップボタン
３７  スナップボタン
３８  スナップボタン
３９  シート材の長さ方向両端部
４０  シート材の下端部
４１  ポケット部の開口部
４２  スマートフォン
【図１】
0003168320.tif 000003
【図２】
0003168320.tif 000004
【図３】
0003168320.tif 000005
【図４】
0003168320.tif 000006
【手続補正書】
【提出日】平成23年3月24日(2011.3.24)
【手続補正１】
【補正対象書類名】実用新案登録請求の範囲
【補正対象項目名】請求項３
【補正方法】変更
【補正の内容】
【請求項３】
上記携帯物品は財布であって、上記財布の側面部には上記収納部を形成する折曲可能に形成された表皮部が接合され、上記ポケット部は、上記表皮部の内側面部に固定されていることを特徴とする請求項１または請求項２に記載の携帯物品
【手続補正３】
【補正対象書類名】明細書
【補正対象項目名】０００２
【補正方法】変更
【補正の内容】
【０００２】
携帯物品としては、財布、札入れ、カードケース、小物入れ等、多数の種類の製品が流通している。